(57)【要約】【課題】バッテリの一時的な加熱要求に対応できる自動車用温調システムを提供する。【解決手段】自動車用温調システム１０では、冷媒回路４０が、バッテリ温調用冷媒路４２を有している。バッテリ温調用冷媒路４２は、バッテリ熱交換器２７と、バッテリ熱交換器２７の両側に配置される第１減圧器２５及び第２減圧器２９を含んでいる。第１減圧器２５及び第２減圧器２９はともに、開度可変式の膨張弁である。制御部７０は、車載バッテリ８０が所定温度以下のとき、第２減圧器２９を全開にして内気熱交換器２３からの高圧冷媒をバッテリ熱交換器２７に流して車載バッテリ８０を暖める低温時始動モードを実行する。それゆえ、この自動車用温調システム１０では、車載バッテリ８０が短時間で適温まで加熱される。【選択図】図１
2013060066.tif 000002
【特許請求の範囲】
【請求項１】
１つの冷媒回路（４０）を用いて少なくとも空気調和とバッテリ（８０）の温調とを行なう自動車用温調システムであって、
前記冷媒回路（４０）の冷媒の流れを制御する制御部（７０）を備え、
前記冷媒回路（４０）は、空気調和用の蒸発器及び放熱器との間に、前記バッテリ（８０）の温調を行なうバッテリ熱交換器（２７）、及び前記バッテリ熱交換器（２７）の両側に配置される２つの減圧器（２５，２９）を含む、バッテリ温調用冷媒路（４２）を有し、
２つの前記減圧器（２５，２９）のうち少なくとも暖房運転時に前記バッテリ熱交換器（２７）の上流側となる前記減圧器（２９）は、開度可変式の膨張弁であり、
前記制御部（７０）は、所定条件成立時、前記放熱器からの高圧冷媒を前記バッテリ熱交換器（２７）に流して前記バッテリ（８０）を暖める始動モードを実行する、
自動車用温調システム（１０）。
【請求項２】
前記制御部（７０）は、前記バッテリ熱交換器（２７）の温度が所定値以下のときに前記始動モードを実行する、
請求項１に記載の自動車用温調システム（１０）。
【請求項３】
前記制御部（７０）は、暖房運転時と同じ冷媒循環サイクルで前記始動モードを実行する、
請求項２に記載の自動車用温調システム（１０）。
【請求項４】
暖房運転時の前記放熱器に送風するファン（６０）をさらに備え、
前記制御部（７０）は、前記ファン（６０）を停止して前記始動モードを実行する、
請求項３に記載の自動車用温調システム（１０）。
【請求項５】
前記制御部（７０）は、暖房運転時に前記バッテリ熱交換器（２７）の上流側となる前記減圧器（２９）を全開にして前記始動モードを実行する、
請求項３に記載の自動車用温調システム（１０）。
【請求項６】
前記冷媒回路（４０）は、前記バッテリ温調用冷媒路（４２）とは別に、前記蒸発器及び前記放熱器を結ぶ空気調和用冷媒路（４１）を有している、
請求項１に記載の自動車用温調システム（１０）。
【請求項７】
暖房運転時に前記バッテリ熱交換器（２７）の下流側となる前記減圧器（２５）は、開度可変式の膨張弁である、
請求項１又は請求項６に記載の自動車用温調システム（１０）。
【請求項８】
冷房運転時の前記蒸発器に送風するファン（６０）をさらに備え、
前記制御部（７０）は、前記バッテリ（８０）を所定時間内に所定充電量まで充電する急速充電モードを実行可能であり、
さらに、前記制御部（７０）は、空気調和を行わないとき、前記ファン（６０）を停止した状態で冷房運転時と同じ冷媒循環サイクルで前記バッテリ温調用冷媒路（４２）に冷媒を流しながら前記急速充電モードを実行する、
請求項１に記載の自動車用温調システム（１０）。
【請求項９】
前記冷媒回路（４０）は、
冷房運転時の前記蒸発器と並列に接続されるバイパス（４３）と、
冷媒を前記バイパス（４３）へ流す第１状態および冷媒を前記バイパス（４３）へ流さない第２状態のいずれか一方に切り換え可能な切換手段（４５）と、
をさらに有し、
前記制御部（７０）は、前記バッテリ（８０）を所定時間内に所定充電量まで充電する急速充電モードを実行可能であり、
さらに、前記制御部（７０）は、空気調和を行わないとき、前記切換手段（４５）を前記第１状態に切り換え、冷房運転時と同じ冷媒循環サイクルで前記バッテリ温調用冷媒路（４２）に冷媒を流しながら前記急速充電モードを実行する、
請求項１に記載の自動車用温調システム（１０）。
【発明の詳細な説明】
【技術分野】
【０００１】
本発明は、自動車用温調システムに関し、特に、空気調和用の冷媒回路が少なくともバッテリ冷却用の冷媒回路を兼ねている自動車用温調システムに関する。
【背景技術】
【０００２】
従来、電気自動車等の温調システムとして、特許文献１（特開平１１−２３０８１号公報）に開示されているような空調装置が広く知られている。この空調装置は、高圧冷媒を中間圧力まで減圧する高圧側電気膨張弁と、中間圧冷媒をさらに低圧圧力まで減圧する低圧側電気膨張弁と、その両電気膨張弁の間に設置される冷却器とを備えており、その冷却器によって、走行用モータ、モータ用インバータおよびバッテリを冷却している。
【発明の概要】
【発明が解決しようとする課題】
【０００３】
しかしながら、上記空調装置では、独立したバッテリ温調手段がなく、バッテリの温調が空調温度により制限されるので、バッテリを最適な温度に調節することができない。特に、寒冷地での始動時など、バッテリだけを急速に暖めたいという一時的な加熱要求に対応できない。
【０００４】
本発明の課題は、バッテリの一時的な加熱要求に対応できる自動車用温調システムを提供することにある。
【課題を解決するための手段】
【０００５】
本発明の第１観点に係る自動車用温調システムは、１つの冷媒回路を用いて少なくとも空気調和とバッテリの温調とを行なう自動車用温調システムであって、冷媒回路の冷媒の流れを制御する制御部を備えている。冷媒回路は、バッテリ温調用冷媒路を有している。バッテリ温調用冷媒路は、空気調和用の蒸発器及び放熱器との間に、バッテリの温調を行なうバッテリ熱交換器、及びバッテリ熱交換器の両側に配置される２つの減圧器を含んでいる。また、２つの減圧器のうち少なくとも暖房運転時にバッテリ熱交換器の上流側となる減圧器は、開度可変式の膨張弁である。また、制御部は、所定条件成立時、放熱器からの高圧冷媒をバッテリ熱交換器に流してバッテリを暖める始動モードを実行する。
【０００６】
一般に、寒冷地ではバッテリが低温雰囲気に曝されるので、始動時にはバッテリを適温まで加熱する必要がある。この自動車用温調システムでは、空調運転による放熱器からの高圧冷媒をバッテリ熱交換器に流してバッテリを暖めるので、短時間でバッテリを適温まで加熱することができる。
【０００７】
本発明の第２観点に係る自動車用温調システムは、第１観点に係る自動車用温調システムであって、制御部が、バッテリ熱交換器の温度が所定値以下のときに始動モードを実行する。
【０００８】
この自動車用温調システムでは、始動時のバッテリ熱交換器の温度に基づいて始動モードが自動で実行されるので、使用者にとって使い勝手がよい。
【０００９】
本発明の第３観点に係る自動車用温調システムは、第２観点に係る自動車用温調システムであって、制御部が、暖房運転時と同じ冷媒循環サイクルで始動モードを実行する。
【００１０】
一般的に外気温が低いときに始動モードが実行されると考えられるので、車内も暖房を必要とする。この自動車用温調システムでは、暖房運転時と同じ冷媒循環サイクルで始動モードを実行することによって、新たに始動モード用の冷媒回路を構成するよりも回路構成を簡単にすることができる。
【００１１】
本発明の第４観点に係る自動車用温調システムは、第３観点に係る自動車用温調システムであって、暖房運転時の放熱器に送風するファンをさらに備えている。そして、制御部は、ファンを停止して始動モードを実行する。
【００１２】
この自動車用温調システムでは、ファンを停止することにより、放熱器での冷媒の凝縮が抑制されるので、高温の高圧冷媒がバッテリ熱交換器に流入し、短時間でバッテリが適温まで加熱される。
【００１３】
本発明の第５観点に係る自動車用温調システムは、第３観点に係る自動車用温調システムであって、制御部が、暖房運転時にバッテリ熱交換器の上流側となる減圧器を全開にして始動モードを実行する。
【００１４】
この自動車用温調システムでは、暖房運転時にバッテリ熱交換器の上流側となる減圧器（膨張弁）が全開となるので、冷媒が減圧されず高温のままバッテリ熱交換器に流入し、短時間でバッテリが適温まで加熱される。
【００１５】
本発明の第６観点に係る自動車用温調システムは、第１観点に係る自動車用温調システムであって、冷媒回路が、バッテリ温調用冷媒路とは別に、蒸発器及び放熱器を結ぶ空気調和用冷媒路を有している。
【００１６】
この自動車用温調システムでは、暖房運転時に蒸発器の上流側で冷媒を減圧する膨張弁と、暖房運転時にバッテリ熱交換器の下流側となる減圧器とを別にすることができる。つまり、空気調和とは別に、バッテリ熱交換器の温度を蒸発温度と凝縮温度との間の任意温度に冷却することができる。
【００１７】
本発明の第７観点に係る自動車用温調システムは、第１観点または第６観点に係る自動車用温調システムであって、暖房運転時にバッテリ熱交換器の下流側となる減圧器が、開度可変式の膨張弁である。
【００１８】
この自動車用温調システムでは、暖房運転時にバッテリ熱交換器の下流側となる減圧器を開度可変式の膨張弁にすることによって、バッテリ熱交換器の両側に配置される減圧器が共に開度可変式の膨張弁となるので、バッテリ温調用冷媒路と空気調和用冷媒路とを一本化して、暖房運転時に蒸発器の上流側で冷媒を減圧する膨張弁と、暖房運転時にバッテリ熱交換器の下流側となる膨張弁とを１つに集約することができる。
【００１９】
また、バッテリ温調用冷媒路と空気調和用冷媒路とを一本化しない場合、制御部は始動モードを実行する際、バッテリ熱交換器の両側に配置された膨張弁の開度を調節してバッテリ熱交換器に流れる高圧冷媒量を適正に制御することができるので、短時間でバッテリを適温まで加熱するための制御パターンの自由度が増える。
【００２０】
本発明の第８観点に係る自動車用温調システムは、第１観点に係る自動車用温調システムであって、冷房運転時の蒸発器に送風するファンをさらに備えている。そして、制御部は、バッテリを所定時間内に所定充電量まで充電する急速充電モードを実行可能である。さらに、制御部は、空気調和を行わないとき、ファンを停止した状態で冷房運転時と同じ冷媒循環サイクルでバッテリ温調用冷媒路に冷媒を流しながら急速充電モードを実行する。
【００２１】
この自動車用温調システムでは、バッテリ充電時のバッテリ温度上昇を抑制してバッテリを適温に調節することができるうえに、室内に冷風を送らないので、ユーザーに冷風が当たるなどの不快感を誘発するような事態は防止される。
【００２２】
本発明の第９観点に係る自動車用温調システムは、第１観点に係る自動車用温調システムであって、冷媒回路が、バイパスと切換手段とをさらに有している。バイパスは、冷房運転時の蒸発器と並列に接続される。切換手段は、冷媒をバイパスへ流す第１状態および冷媒をバイパスへ流さない第２状態のいずれか一方に切り換え可能である。そして、制御部は、バッテリを所定時間内に所定充電量まで充電する急速充電モードを実行可能である。さらに、制御部は、空気調和を行わないとき、切換手段を第１状態に切り換え、冷房運転時と同じ冷媒循環サイクルでバッテリ温調用冷媒路に冷媒を流しながら急速充電モードを実行する。
【００２３】
この自動車用温調システムでは、バッテリ充電時のバッテリ温度上昇を抑制してバッテリを適温に調節することができるうえに、冷媒が蒸発器を流れないので室内に冷気が漏れてユーザーに不快感を与えるような事態は防止される。
【発明の効果】
【００２４】
本発明の第１観点に係る自動車用温調システムでは、空調運転による放熱器からの高圧冷媒をバッテリ熱交換器に流してバッテリを暖めるので、短時間でバッテリを適温まで加熱することができる。
【００２５】
本発明の第２観点に係る自動車用温調システムでは、始動時のバッテリ熱交換器の温度に基づいて始動モードが自動で実行されるので、使用者にとって使い勝手がよい。
【００２６】
本発明の第３観点に係る自動車用温調システムでは、暖房運転時と同じ冷媒循環サイクルで始動モードを実行することによって、新たに始動モード用の冷媒回路を構成するよりも回路構成を簡単にすることができる。
【００２７】
本発明の第４観点に係る自動車用温調システムでは、ファンを停止することにより、放熱器での冷媒の凝縮が抑制されるので、高温の高圧冷媒がバッテリ熱交換器に流入し、短時間でバッテリが適温まで加熱される。
【００２８】
本発明の第５観点に係る自動車用温調システムでは、暖房運転時にバッテリ熱交換器の上流側となる減圧器（膨張弁）が全開となるので、冷媒が減圧されず高温のままバッテリ熱交換器に流入し、短時間でバッテリが適温まで加熱される。
【００２９】
本発明の第６観点に係る自動車用温調システムでは、暖房運転時に蒸発器の上流側で冷媒を減圧する膨張弁と、暖房運転時にバッテリ熱交換器の下流側となる減圧器とを別にすることができる。つまり、空気調和とは別に、バッテリ熱交換器の温度を蒸発温度と凝縮温度との間の任意温度に維持することができる。
【００３０】
本発明の第７観点に係る自動車用温調システムでは、バッテリ熱交換器の両側に配置される減圧器が共に開度可変式の膨張弁となるので、バッテリ温調用冷媒路と空気調和用冷媒路とを一本化して、暖房運転時に蒸発器の上流側で冷媒を減圧する膨張弁と、暖房運転時にバッテリ熱交換器の下流側となる膨張弁とを１つに集約することができる。
【００３１】
また、バッテリ温調用冷媒路と空気調和用冷媒路とを一本化しない場合、制御部は始動モードを実行する際、バッテリ熱交換器の両側に配置された膨張弁の開度を調節してバッテリ熱交換器に流れる高圧冷媒量を適正に制御することができるので、短時間でバッテリを適温まで加熱するための制御パターンの自由度が増える。
【００３２】
本発明の第８観点に係る自動車用温調システムでは、バッテリ充電時のバッテリ温度上昇を抑制してバッテリを適温に調節することができるうえに、室内に冷風を送らないので、ユーザーに冷風が当たるなどの不快感を誘発するような事態は防止される。
【００３３】
本発明の第９観点に係る自動車用温調システムでは、バッテリ充電時のバッテリ温度上昇を抑制してバッテリを適温に調節することができるうえに、冷媒が蒸発器を流れないので室内に冷気が漏れてユーザーに不快感を与えるような事態は防止される。
【図面の簡単な説明】
【００３４】
【図１】本発明の第１実施形態に係る自動車用温調システムの構成図。
【図２】第１実施形態の変形例に係る自動車用温調システムの構成図。
【図３】本発明の第２実施形態に係る自動車用温調システムの構成図。
【図４】第２実施形態の第１変形例に係る自動車用温調システムの構成図。
【図５】第２実施形態の第２変形例に係る自動車用温調システムの構成図。
【発明を実施するための形態】
【００３５】
以下図面を参照しながら、本発明の実施形態について説明する。なお、以下の実施形態は、本発明の具体例であって、本発明の技術的範囲を限定するものではない。
【００３６】
＜第１実施形態＞
（１）自動車用温調システム１０の概要
（１−１）全体構成
図１は、本発明の第１実施形態に係る自動車用温調システム１０の構成図である。図１において、自動車用温調システム１０は、冷房運転及び暖房運転が可能な空気調和システムであり、冷媒回路４０と、外気ファン５０と、内気ファン６０と、制御部７０とを備えている。
【００３７】
（１−２）冷媒回路４０
冷媒回路４０では、圧縮機１１、四路切換弁１３、外気熱交換器１５、及び内気熱交換器２３が環状に繋がっている。また、冷媒回路４０は、外気熱交換器１５と内気熱交換器２３とを繋ぐバッテリ温調用冷媒路４２を有しており、バッテリ温調用冷媒路４２には外気熱交換器１５側から第１減圧器２５、バッテリ熱交換器２７及び第２減圧器２９が接続されている。また、バッテリ温調用冷媒路４２のうちの第２減圧器２９と内気熱交換器２３との間には冷媒の分岐点Aが存在し、分岐点Aから圧縮機１１の吸込口に向かって分岐路４６が設けられている。分岐路４６には、分岐点A側から電動膨張弁２１及び除湿熱交換器１９が接続されている。
【００３８】
（１−３）外気ファン５０
外気ファン５０は、外気熱交換器１５に対面するように配置されており、回転することによって車外空気を取り込んで外気熱交換器１５に送風し、外気熱交換器１５内の冷媒と車外空気との熱交換を促進する。
【００３９】
（１−４）内気ファン６０
内気ファン６０は、一般にはブロアと呼ばれる送風機である。この内気ファン６０は、内気熱交換器２３が設置された風路の上流側に位置し、内気熱交換器２３の上流側から内気熱交換器２３に向って送風する。
【００４０】
（１−５）制御部７０
制御部７０は、四路切換弁１３、第１減圧器２５、第２減圧器２９、及び電動膨張弁２１の弁開度、圧縮機１１、内気ファン６０、外気ファン５０の回転数を制御して、冷媒回路４０を循環する冷媒の流れや、内気熱交換器２３、除湿熱交換器１９、外気熱交換器１５、バッテリ熱交換器２７の熱交換量を制御する。
【００４１】
（２）詳細構成
（２−１）圧縮機１１、及び四路切換弁１３
圧縮機１１は、ガス冷媒を吸入して圧縮する。四路切換弁１３は、冷房運転と暖房運転との切換時に、冷媒の流れの方向を切り換える。冷房運転時、四路切換弁１３は、圧縮機１１の吐出側と外気熱交換器１５のガス側とを接続するとともに圧縮機１１の吸入側と内気熱交換器２３のガス側とを接続する。つまり、図１の四路切換弁１３内の実線で示された状態である。
【００４２】
また、暖房運転時、四路切換弁１３は、圧縮機１１の吐出側と内気熱交換器２３のガス側とを接続するとともに圧縮機１１の吸入側と外気熱交換器１５のガス側とを接続する。つまり、図１の四路切換弁１３内の点線で示された状態である。
【００４３】
（２−２）外気熱交換器１５
外気熱交換器１５は、積層型熱交換器であって、車外空気との熱交換によって内部を流れる冷媒を凝縮（超臨界冷媒の場合は放熱）又は蒸発させることができる。積層型熱交換器については多くの文献が存在するので、ここでは説明を省略する。なお、外気熱交換器１５は積層型熱交換器に限定されるものではなく、他の熱交換器であってもよい。
【００４４】
（２−３）内気熱交換器２３
内気熱交換器２３は、車内乗車室前面の吹出口と通じる風路内に設置される。この内気熱交換器２３は、積層型熱交換器であって、車外から取り入れた空気または車内乗車室から取り入れた空気との熱交換によって内部を流れる冷媒を凝縮（超臨界冷媒の場合は放熱）又は蒸発させることができる。なお、内気熱交換器２３は積層型熱交換器に限定されるものではなく、他の熱交換器であってもよい。
【００４５】
（２−４）バッテリ熱交換器２７
バッテリ熱交換器２７は、電気自動車の走行用モータなどの電源である車載バッテリ８０との冷媒回路４０を循環する冷媒との間で熱交換を行なわせる熱交換器である。バッテリ熱交換器２７は、外気熱交換器１５と内気熱交換器２３との間を繋ぐバッテリ温調用冷媒路４２の途中に接続されている。また、バッテリ熱交換器２７の両側には、第１減圧器２５および第２減圧器２９が接続されている。
【００４６】
（２−５）第１減圧器２５
第１減圧器２５は、開度可変式の電動膨張弁であって、バッテリ温調用冷媒路４２のうちのバッテリ熱交換器２７と外気熱交換器１５との間に接続されている。第１減圧器２５は、冷房運転時、外気熱交換器１５からの高圧冷媒を高圧圧力と低圧圧力との間の中間圧力まで減圧する。また、暖房運転時、第１減圧器２５は冷媒圧力を外気熱交換器１５で蒸発可能な圧力まで減圧する。
【００４７】
（２−６）第２減圧器２９
第２減圧器２９は、開度可変式の電動膨張弁であって、バッテリ温調用冷媒路４２のうちのバッテリ熱交換器２７と内気熱交換器２３との間に接続されている。第２減圧器２９は、暖房運転時、内気熱交換器２３からの高圧冷媒を高圧圧力と低圧圧力との間の中間圧力まで減圧する。また、第２減圧器２９は、冷房運転時、冷媒圧力を内気熱交換器２３で蒸発可能な圧力まで減圧する。
【００４８】
（２−７）除湿熱交換器１９及び電動膨張弁２１
除湿熱交換器１９は、暖房運転時に内気熱交換器２３から第２減圧器２９に向う高圧冷媒の一部を蒸発させる蒸発器である。除湿熱交換器１９は、冷媒と車内乗車室の空気との間で熱交換を行なわせ、空気を露点温度以下に冷却することによって車内乗車室の湿度を調節し、自動車のフロントガラスなどのくもりを防止する。除湿熱交換器１９は、積層型熱交換器であるが、それに限定されるものではなく、他の熱交換器であってもよい。
【００４９】
電動膨張弁２１は、除湿熱交換器１９と分岐点Aとの間に接続されており、除湿運転時、冷媒圧力を除湿熱交換器１９で蒸発可能な圧力まで減圧する。
【００５０】
（３）自動車用温調システム１０の動作
（３−１）冷房運転時の冷媒の流れ
図１において、冷房運転時、四路切換弁１３は、圧縮機１１の吐出側と外気熱交換器１５のガス側とを接続するとともに圧縮機１１の吸入側と内気熱交換器２３のガス側とを接続する。また、第１減圧器２５は、外気熱交換器１５からの高圧冷媒を高圧圧力と低圧圧力との間の中間圧力まで減圧する。また、第２減圧器２９は、中間圧冷媒を内気熱交換器２３で蒸発可能な圧力まで減圧する。その結果、外気熱交換器１５が冷媒の凝縮器として機能し、内気熱交換器２３が冷媒の蒸発器として機能する。
【００５１】
また、電動膨張弁２１の開度は、所定の大きさに調節される。冷房運転では、負荷条件に応じて、電動膨張弁２１の開度を調節して除湿熱交換器１９に流れる冷媒量を増減し、内気熱交換器２３に流れる冷媒量を制御している。但し、電動膨張弁２１の開度が全開になっても、除湿熱交換器１９に流れる冷媒量は、内気熱交換器２３に流れる冷媒量よりも少ない。
【００５２】
このような状態の冷媒回路４０において、低圧の冷媒は、圧縮機１１に吸入され、高圧に圧縮された後に吐出される。圧縮機１１から吐出された高圧の冷媒は、四路切換弁１３を通じて、外気熱交換器１５に送られる。
【００５３】
外気熱交換器１５に送られた高圧の冷媒は、そこで車外空気と熱交換を行って凝縮する。外気熱交換器１５において凝縮器した高圧の冷媒は、第１減圧器２５に送られて中間圧力まで減圧された後、バッテリ熱交換器２７に入る。
【００５４】
中間圧まで低下した冷媒は２相冷媒となってバッテリ熱交換器２７を流れる。この２層冷媒は、バッテリ熱交換器２７を介して車載バッテリ８０と熱交換する。車載バッテリ８０は、バッテリ熱交換器２７によって冷却され所定温度に調節される。なお、本実施形態では、第１減圧器２５の開度を適宜制御することによって、中間圧力が調整され、冷媒温度が調整される。この作用により車載バッテリ８０を２０℃〜４０℃の範囲内の任意温度に調節している。
【００５５】
バッテリ熱交換器２７を出た中間圧の冷媒は、第２減圧器２９によって内気熱交換器２３で蒸発可能な圧力まで減圧され、内気熱交換器２３に入る。内気熱交換器２３に入った低圧の冷媒は、そこで車内乗車室の空気と熱交換を行って蒸発する。内気熱交換器２３で冷却された空気は、車内乗車室に吹き出され車内乗車室を冷却する。内気熱交換器２３において蒸発した低圧の冷媒は、四路切換弁１３を経て、再び、圧縮機１１に吸入される。
【００５６】
他方、分岐路４６に入った冷媒は、電動膨張弁２１で減圧されて除湿熱交換器１９に入る。電動膨張弁２１は、除湿熱交換器１９の出口における冷媒過熱度が、内気熱交換器２３の出口における冷媒過熱度と同じになるように、開度を調節する。
【００５７】
分岐路４６に流入した除湿熱交換器１９において蒸発した低圧の冷媒は、圧縮機１１の吸込口の手前で、四路切換弁１３からの低圧の冷媒と合流し、圧縮機１１に吸入される。
【００５８】
（３−２）暖房運転時の冷媒の流れ
図１において、暖房運転時、四路切換弁１３は、圧縮機１１の吐出側と内気熱交換器２３のガス側とを接続するとともに圧縮機１１の吸入側と外気熱交換器１５のガス側とを接続する。また、第２減圧器２９は、内気熱交換器２３からの高圧冷媒を高圧圧力と低圧圧力との間の中間圧力まで減圧する。また、第１減圧器２５は、中間圧冷媒を外気熱交換器１５で蒸発可能な圧力まで減圧する。その結果、内気熱交換器２３が冷媒の凝縮器として機能し、外気熱交換器１５が冷媒の蒸発器として機能する。また、電動膨張弁２１は開度を全閉状態にする。
【００５９】
このような状態の冷媒回路４０において、低圧の冷媒は、圧縮機１１に吸入され、高圧に圧縮された後に吐出される。圧縮機１１から吐出された高圧の冷媒は、四路切換弁１３を通じて、内気熱交換器２３に送られる。
【００６０】
内気熱交換器２３に送られた高圧の冷媒は、そこで車内乗車室の空気と熱交換を行って凝縮する。内気熱交換器２３で加熱された空気は、車内乗車室に吹き出され車内乗車室を暖める。内気熱交換器２３において凝縮器した高圧の冷媒は、第２減圧器２９に送られて中間圧力まで減圧された後、バッテリ熱交換器２７に入る。
【００６１】
中間圧まで低下した冷媒は２相冷媒となってバッテリ熱交換器２７を流れる。この２層冷媒は、バッテリ熱交換器２７を介して車載バッテリ８０と熱交換する。車載バッテリ８０は、バッテリ熱交換器２７によって冷却され所定温度に調節される。なお、本実施形態では、第２減圧器２９の開度を適宜制御することによって、中間圧力が調整され、冷媒温度が調整される。この作用により車載バッテリ８０を２０℃〜４０℃の範囲内の任意温度に調節している。
【００６２】
バッテリ熱交換器２７を出た中間圧の冷媒は、第１減圧器２５によって外気熱交換器１５で蒸発可能な圧力まで減圧され、外気熱交換器１５に入る。外気熱交換器１５に入った低圧の冷媒は、そこで車外の空気と熱交換を行って蒸発する。外気熱交換器１５において蒸発した低圧の冷媒は、四路切換弁１３を経て、再び、圧縮機１１に吸入される。
【００６３】
（３−３）暖房除湿運転
暖房除湿運転では、制御部７０は、上記暖房運転時と同じ冷媒循環サイクルで、電動膨張弁２１の開度を調節し、内気熱交換器２３から出た高圧冷媒の一部を分岐点Aから分岐路４６に流入させる。なお、バッテリ温調用冷媒路４２を通る冷媒の流れについては、上記暖房運転時の冷媒の流れと同じであるので、説明を省略する。
【００６４】
分岐路４６に入った冷媒は、電動膨張弁２１によって除湿熱交換器１９で蒸発可能な圧力まで減圧されるので、冷媒はその周囲から吸熱して蒸発する。
【００６５】
除湿熱交換器１９は、通過する空気を冷却するので、その空気中の水分が凝縮し除湿される。除湿された空気は、内気熱交換器２３によって加熱されるので、車内乗車室には除湿された暖かい空気が吹き出される。
【００６６】
除湿熱交換器１９において蒸発した低圧の冷媒は、圧縮機１１の吸込口の手前で、四路切換弁１３からの低圧の冷媒と合流し、圧縮機１１に吸入される。
【００６７】
（３−４）バッテリ加熱運転（低温時始動モード）
一般に、寒冷地では車載バッテリ８０が低温雰囲気に曝されるので、低温により車載バッテリ８０内部での化学反応が鈍くなり、出力が減少する傾向にある。それゆえ、寒冷地において、自動車の始動時には車載バッテリ８０を適温まで加熱する必要がある。
【００６８】
制御部７０は、始動時の車載バッテリ８０の温度が所定温度（例えば、０℃）以下のとき、高圧冷媒をバッテリ熱交換器２７に流して車載バッテリ８０を暖める低温時始動モードを実行する。これを、バッテリ加熱運転とよぶ。
【００６９】
バッテリ加熱運転では、四路切換弁１３は、圧縮機１１の吐出側と内気熱交換器２３のガス側とを接続するとともに圧縮機１１の吸入側と外気熱交換器１５のガス側とを接続する。また、第２減圧器２９は、弁の開度を全開とする。また、第１減圧器２５は、冷媒圧力を外気熱交換器１５で蒸発可能な圧力まで減圧する。その結果、内気熱交換器２３及びバッテリ熱交換器２７が冷媒の凝縮器として機能し、外気熱交換器１５が冷媒の蒸発器として機能する。
【００７０】
また、電動膨張弁２１は開度を全閉状態にする。さらに、内気熱交換器２３での冷媒の凝縮を抑制するため、内気ファン６０は停止する。
【００７１】
このような状態の冷媒回路４０において、低圧の冷媒は、圧縮機１１に吸入され、高圧に圧縮された後に吐出される。圧縮機１１から吐出された高圧の冷媒は、四路切換弁１３を通じて、内気熱交換器２３に送られる。
【００７２】
内気ファン６０は停止しているので、内気熱交換器２３に送られた高圧の冷媒は車内乗車室の空気と熱交換が促進されず、ほとんど凝縮することなく高温高圧ガスの状態で、全開の第２減圧器２９を通過して、バッテリ熱交換器２７に入る。
【００７３】
高温高圧のガス冷媒は、内気熱交換器２３及びバッテリ熱交換器２７を介して熱交換し凝縮する。その際、バッテリ熱交換器２７内の冷媒は、車載バッテリ８０と熱交換する。車載バッテリ８０は、バッテリ熱交換器２７内の冷媒との熱交換によって加熱され温度上昇する。
【００７４】
バッテリ熱交換器２７を出た冷媒は、第１減圧器２５によって外気熱交換器１５で蒸発可能な圧力まで減圧され、外気熱交換器１５に入る。外気熱交換器１５に入った低圧の冷媒は、そこで車外の空気と熱交換を行って蒸発する。外気熱交換器１５において蒸発した低圧の冷媒は、四路切換弁１３を経て、再び、圧縮機１１に吸入される。
【００７５】
制御部７０は、車載バッテリ８０の温度が２０℃〜４０℃の範囲内の所定温度に到達するまでバッテリ加熱運転を継続する。
【００７６】
（３−５）空調運転停止時のバッテリ温調運転
制御部７０は、車載バッテリ８０を所定時間内に所定充電量まで充電する急速充電モードを実行可能である。急速充電モードは、暖房および冷房などの空調運転を行っているときでも、空調運転を停止しているときでも実行可能である。但し、急速充電は車載バッテリ８０の急激な温度上昇を伴うので、車載バッテリ８０の温調が必要である。
【００７７】
本実施形態では、制御部７０は、空気調和を停止しているときに急速充電モードを実行する場合、内気ファン６０を停止した状態で、冷房運転時と同じ冷媒循環サイクルでバッテリ温調用冷媒路４２に冷媒を流す。その結果、車内乗車室内に冷風を送ることなく、車載バッテリ８０を温調することができる。
【００７８】
（４）第１実施形態の特徴
（４−１）
自動車用温調システム１０では、冷媒回路４０が、バッテリ温調用冷媒路４２を有している。バッテリ温調用冷媒路４２は、バッテリ熱交換器２７と、バッテリ熱交換器２７の両側に配置される第１減圧器２５及び第２減圧器２９を含んでいる。第１減圧器２５及び第２減圧器２９はともに、開度可変式の膨張弁である。制御部７０は、車載バッテリ８０が所定温度以下のとき、第２減圧器２９を全開にして内気熱交換器２３からの高圧冷媒をバッテリ熱交換器２７に流して車載バッテリ８０を暖める低温時始動モードを実行する。それゆえ、この自動車用温調システム１０では、車載バッテリ８０が短時間で適温まで加熱される。また、始動時のバッテリ熱交換器２７の温度に基づいて低温時始動モードが自動で実行されるので、使用者にとって使い勝手がよい。
【００７９】
（４−２）
また、制御部７０は、低温時始動モードを暖房運転時と同じ冷媒循環サイクルで実行する。一般的に外気温が低いときに始動モードが実行されると考えられるので、車内乗車室も暖房を必要とする。それゆえ、自動車用温調システム１０では、新たに始動モード用の冷媒回路を構成する必要がなく、回路構成が簡単である。
【００８０】
（４−３）
また、制御部７０は、内気ファン６０を停止して低温時始動モードを実行するので、内気熱交換器２３での冷媒の凝縮が抑制され、高温の高圧冷媒がバッテリ熱交換器２７に流入し、短時間で車載バッテリ８０が適温まで加熱される。
【００８１】
（４−４）
また、制御部７０は、空気調和を停止しているとき急速充電モードを実行する場合、車内乗車室内に冷風を送らないように内気ファン６０を停止した状態で、冷房運転時と同じ冷媒循環サイクルでバッテリ温調用冷媒路４２に冷媒を流す。その結果、車載バッテリ８０の急速充電時の温度上昇を抑制して車載バッテリ８０を適温に調節することができるうえに、車内乗車室内に冷風を送らないので、ユーザーに冷風が当たるなどの不快感を誘発するような事態は防止される。
【００８２】
（５）第１実施形態の変形例
上記実施形態では、制御部７０は、空気調和を停止しているときに急速充電モードを実行する場合、内気ファン６０を停止した状態で、冷房運転時と同じ冷媒循環サイクルでバッテリ温調用冷媒路４２に冷媒を流しているが、これに限定されるものではない。
【００８３】
図２は、第１実施形態の変形例に係る自動車用温調システム１０の構成図である。図２において、第１実施形態と変形例との違いは、変形例の冷媒回路４０がバイパス４３と開閉弁４５を有している点である。
【００８４】
分岐点Ａと第２減圧器２９との間には冷媒の分岐点Ｂが設けられており、バイパス４３は分岐点Ｂから出て内気熱交換器２３と四路切換弁１３とを結ぶ冷媒路に繋がっている。開閉弁４５は、バイパス４３に設けられており、冷媒をバイパス４３へ流す第１状態および冷媒をバイパスへ流さない第２状態のいずれか一方に切り換え可能な切換手段として機能する。
【００８５】
変形例に係る自動車用温調システム１０では、冷房運転、暖房運転、暖房除運転およびバッテリ加熱運転の各動作は、第１実施形態におけるそれらの動作と同じである。制御部７０は、冷房運転、暖房運転、暖房除運転およびバッテリ加熱運転の各動作時、開閉弁４５を閉じ、バイパス４３には冷媒を流さない。
【００８６】
他方、制御部７０は、空気調和を行わずに急速充電モードを実行する際、冷房運転時と同じ冷媒循環サイクルではあるが、開閉弁４５を開けてバイパス４３に冷媒を流し、内気熱交換器２３および除湿熱交換器１９に流れる冷媒量を抑制しながらバッテリ温調用冷媒路４２に冷媒を流通させる。
【００８７】
この結果、車載バッテリ８０への急速充電時でも車載バッテリ８０の温度上昇を抑制してバッテリを適温に調節することができるうえに、内気熱交換器２３および除湿熱交換器１９にはほとんど冷媒が流れないので、車内乗車室内に冷気が漏れてユーザーに不快感を与えるような事態は防止される。
【００８８】
＜第２実施形態＞
（１）自動車用温調システム１００の概要
（１−１）全体構成
図３は、本発明の第２実施形態に係る自動車用温調システム１００の構成図である。図３において、自動車用温調システム１００は、冷房運転及び暖房運転が可能な空気調和システムであり、冷媒回路１４０と、外気ファン５０と、内気ファン６０と、制御部１７０とを備えている。なお、外気ファン５０及び内気ファン６０は、第１実施形態で説明した内容と同じであるので、ここで説明を省略する。
【００８９】
（１−２）冷媒回路１４０
冷媒回路１４０では、圧縮機１１、四路切換弁１３、外気熱交換器１５、及び内気熱交換器２３が環状に繋がっている。また、外気熱交換器１５と内気熱交換器２３との間には、両者を繋ぐ２つの冷媒路が形成されており、一方は第１冷媒路としての空気調和用冷媒路４１であり、他方は第２冷媒路としてのバッテリ温調用冷媒路４２である。バッテリ温調用冷媒路４２は、空気調和用冷媒路４１と並列に接続されている。
【００９０】
空気調和用冷媒路４１には、外気熱交換器１５側からメイン膨張弁１７、除湿熱交換器１９、除湿用膨張弁１２１が接続されている。
【００９１】
また、バッテリ温調用冷媒路４２には、外気熱交換器１５側から第１減圧器２５、バッテリ熱交換器２７及び第２減圧器２９が接続されている。
【００９２】
（１−３）制御部１７０
制御部１７０は、四路切換弁１３、第１減圧器２５、第２減圧器２９、メイン膨張弁１７及び除湿用膨張弁１２１の弁開度、圧縮機１１、内気ファン６０、外気ファン５０の回転数を制御して、冷媒回路１４０を循環する冷媒の流れや、内気熱交換器２３、除湿熱交換器１９、外気熱交換器１５、バッテリ熱交換器２７の熱交換量を制御する。
【００９３】
（２）詳細構成
圧縮機１１、及び四路切換弁１３、外気熱交換器１５、除湿熱交換器１９、内気熱交換器２３、第１減圧器２５、バッテリ熱交換器２７、及び第２減圧器２９は、第１実施形態で説明した内容と同じであるので、ここでは詳細説明を省略する。
【００９４】
（２−１）メイン膨張弁１７
メイン膨張弁１７は、開度可変式の電動膨張弁であり、除湿熱交換器１９と外気熱交換器１５との間に接続されている。メイン膨張弁１７は、冷房運転時には冷媒圧力を除湿熱交換器１９及び内気熱交換器２３で蒸発可能な圧力まで減圧する。また、メイン膨張弁１７は、暖房運転時には冷媒圧力を外気熱交換器１５で蒸発可能な圧力まで減圧する。
【００９５】
（２−２）除湿用膨張弁１２１
除湿用膨張弁１２１は、開度可変式の電動膨張弁であり、除湿熱交換器１９と内気熱交換器２３との間に接続される。また、除湿用膨張弁１２１は、暖房除湿運転時には、所定の除湿量となるように、減圧量を調整する。
【００９６】
（３）自動車用温調システム１００の動作
（３−１）冷房運転時の冷媒の流れ
図３において、冷房運転時、四路切換弁１３は、圧縮機１１の吐出側と外気熱交換器１５のガス側とを接続するとともに圧縮機１１の吸入側と内気熱交換器２３のガス側とを接続する。
【００９７】
また、除湿用膨張弁１２１は、開度を全開、若しくは冷媒を減圧しない程度にまで開度を拡大している。メイン膨張弁１７は、冷媒圧力を除湿熱交換器１９及び内気熱交換器２３で蒸発可能な圧力まで減圧するように開度調節される。
【００９８】
また、第１減圧器２５は、外気熱交換器１５からの高圧冷媒を高圧圧力と低圧圧力との間の中間圧力まで減圧する。また、第２減圧器２９は、中間圧冷媒を内気熱交換器２３で蒸発可能な圧力まで減圧する。その結果、外気熱交換器１５が冷媒の凝縮器として機能し、除湿熱交換器１９及び内気熱交換器２３が冷媒の蒸発器として機能する。
【００９９】
このような状態の冷媒回路において、低圧の冷媒は、圧縮機１１に吸入され、高圧に圧縮された後に吐出される。圧縮機１１から吐出された高圧の冷媒は、四路切換弁１３を通じて、外気熱交換器１５に送られる。
【０１００】
外気熱交換器１５に送られた高圧の冷媒は、そこで車外空気と熱交換を行って凝縮する。外気熱交換器１５において凝縮器した高圧の冷媒は、分岐点Cにおいて空気調和用冷媒路４１とバッテリ温調用冷媒路４２の２方向に分かれて流れる。
【０１０１】
空気調和用冷媒路４１に流れた高圧の冷媒は、メイン膨張弁１７によって減圧され、除湿熱交換器１９及び内気熱交換器２３に入る。除湿熱交換器１９及び内気熱交換器２３は、除湿用膨張弁１２１がほぼ全開となっているので、一つの蒸発器として機能する。
【０１０２】
他方、バッテリ温調用冷媒路４２に流れた高圧の冷媒は、第１減圧器２５に送られて中間圧力まで減圧された後、バッテリ熱交換器２７に入る。中間圧まで低下した冷媒は２相冷媒となってバッテリ熱交換器２７を流れる。この２層冷媒は、バッテリ熱交換器２７を介して車載バッテリ８０と熱交換する。車載バッテリ８０は、バッテリ熱交換器２７によって冷却され所定温度に調節される。なお、本実施形態では、第１減圧器２５の開度を適宜制御することによって、中間圧力が調整され、冷媒温度が調整される。この作用により車載バッテリ８０を２０℃〜４０℃の範囲内の任意温度に調節している。バッテリ熱交換器２７を出た中間圧の冷媒は、第２減圧器２９によって内気熱交換器２３で蒸発可能な圧力まで減圧され、内気熱交換器２３に入る。
【０１０３】
除湿熱交換器１９及び内気熱交換器２３に入った低圧の冷媒は、そこで車内乗車室の空気と熱交換を行って蒸発する。内気熱交換器２３で冷却された空気は、車内乗車室に吹き出され車内乗車室を冷却する。内気熱交換器２３において蒸発した低圧の冷媒は、四路切換弁１３を経て、再び、圧縮機１１に吸入される。
【０１０４】
（３−２）暖房運転時の冷媒の流れ
図３において、暖房運転時、四路切換弁１３は、圧縮機１１の吐出側と内気熱交換器２３のガス側とを接続するとともに圧縮機１１の吸入側と外気熱交換器１５のガス側とを接続する。
【０１０５】
また、除湿用膨張弁１２１は、開度を全開、若しくは冷媒を減圧しない程度にまで開度を拡大している。メイン膨張弁１７は、冷媒圧力を除湿熱交換器１９及び内気熱交換器２３で蒸発可能な圧力まで減圧するように開度調節される。
【０１０６】
また、第２減圧器２９は、内気熱交換器２３からの高圧冷媒を高圧圧力と低圧圧力との間の中間圧力まで減圧する。また、第１減圧器２５は、中間圧冷媒を外気熱交換器１５で蒸発可能な圧力まで減圧する。その結果、内気熱交換器２３及び除湿熱交換器１９が冷媒の凝縮器として機能し、外気熱交換器１５が冷媒の蒸発器として機能する。
【０１０７】
このような状態の冷媒回路において、低圧の冷媒は、圧縮機１１に吸入され、高圧に圧縮された後に吐出される。圧縮機１１から吐出された高圧の冷媒は、四路切換弁１３を通じて、内気熱交換器２３に送られる。
【０１０８】
内気熱交換器２３に送られた高圧の冷媒は、そこで車内乗車室の空気と熱交換を行って凝縮する。内気熱交換器２３で加熱された空気は、車内乗車室に吹き出され車内乗車室を暖める。
【０１０９】
内気熱交換器２３において凝縮器した高圧の冷媒は、分岐点Ｄにおいて空気調和用冷媒路４１とバッテリ温調用冷媒路４２との２方向に分かれて流れる。
【０１１０】
空気調和用冷媒路４１に流れた冷媒は、ほぼ全開状態の除湿用膨張弁１２１を通過して除湿熱交換器１９に入り、そこでさらに放熱して過冷却状態となる。除湿熱交換器１９を出た冷媒は、メイン膨張弁１７によって減圧され、外気熱交換器１５に入る。
【０１１１】
他方、バッテリ温調用冷媒路４２に流れた高圧の冷媒は、第２減圧器２９に送られて中間圧力まで減圧された後、バッテリ熱交換器２７に入る。中間圧まで低下した冷媒は２相冷媒となってバッテリ熱交換器２７を流れる。この２層冷媒は、バッテリ熱交換器２７を介して車載バッテリ８０と熱交換する。車載バッテリ８０は、バッテリ熱交換器２７によって冷却され所定温度に調節される。なお、本実施形態では、第２減圧器２９の開度を適宜制御することによって、中間圧力が調整され、冷媒温度が調整される。この作用により車載バッテリ８０を２０℃〜４０℃の範囲内の任意温度に調節している。バッテリ熱交換器２７を出た中間圧の冷媒は、第１減圧器２５によって外気熱交換器１５で蒸発可能な圧力まで減圧され、外気熱交換器１５に入る。
【０１１２】
外気熱交換器１５に入った低圧の冷媒は、そこで車外の空気と熱交換を行って蒸発する。外気熱交換器１５において蒸発した低圧の冷媒は、四路切換弁１３を経て、再び、圧縮機１１に吸入される。
【０１１３】
（３−３）暖房除湿運転
暖房除湿運転では、制御部７０は、上記暖房運転時と同じ冷媒循環サイクルで、メイン膨張弁１７を全開にし、除湿用膨張弁１２１の開度を調節し、分岐点Ｄから空気調和用冷媒路４１に流れる高圧の冷媒を減圧する。除湿用膨張弁１２１は冷媒圧力を除湿熱交換器１９で蒸発可能な圧力まで減圧し、冷媒はその周囲から吸熱して蒸発する。なお、除湿用膨張弁１２１の開度を適宜制御することによって、減圧量を調整し除湿量を調整する。除湿熱交換器１９を出た冷媒はメイン膨張弁１７によって外気熱交換器１５で蒸発可能な圧力まで減圧され、外気熱交換器１５で車外空気と熱交換を行って蒸発する。
【０１１４】
除湿熱交換器１９は、通過する空気を冷却するので、その空気中の水分が凝縮し除湿される。除湿された空気は、内気熱交換器２３によって加熱されるので、車内乗車室には除湿された暖かい空気が吹き出される。
【０１１５】
他方、バッテリ温調用冷媒路４２に流れた高圧の冷媒は、第２減圧器２９に送られて中間圧力まで減圧された後、バッテリ熱交換器２７に入る。中間圧まで低下した冷媒は２相冷媒となってバッテリ熱交換器２７を流れる。この２層冷媒は、バッテリ熱交換器２７を介して車載バッテリ８０と熱交換する。車載バッテリ８０は、バッテリ熱交換器２７によって冷却され所定温度に調節される。なお、本実施形態では、第２減圧器２９の開度を適宜制御することによって、車載バッテリ８０を２０℃〜４０℃の範囲内の任意温度に調節している。バッテリ熱交換器２７を出た中間圧の冷媒は、第１減圧器２５によって外気熱交換器１５で蒸発可能な圧力まで減圧され、外気熱交換器１５に入る。
【０１１６】
外気熱交換器１５に入った低圧の冷媒は、そこで車外の空気と熱交換を行って蒸発する。外気熱交換器１５において蒸発した低圧の冷媒は、四路切換弁１３を経て、再び、圧縮機１１に吸入される。
【０１１７】
（３−４）バッテリ加熱運転（低温時始動モード）
一般に、寒冷地では車載バッテリ８０が低温雰囲気に曝されるので、低温により車載バッテリ８０内部での化学反応が鈍くなり、出力が減少する傾向にある。それゆえ、寒冷地において、自動車の始動時には車載バッテリ８０を適温まで加熱する必要がある。
【０１１８】
制御部７０は、始動時の車載バッテリ８０の温度が所定温度（例えば、０℃）以下のとき、高圧冷媒をバッテリ熱交換器２７に流して車載バッテリ８０を暖める低温時始動モードを実行する。これを、バッテリ加熱運転とよぶ。
【０１１９】
バッテリ加熱運転では、四路切換弁１３は、圧縮機１１の吐出側と内気熱交換器２３のガス側とを接続するとともに圧縮機１１の吸入側と外気熱交換器１５のガス側とを接続する。また、第２減圧器２９は、弁の開度を全開とする。また、第１減圧器２５は、冷媒圧力を外気熱交換器１５で蒸発可能な圧力まで減圧する。その結果、内気熱交換器２３及びバッテリ熱交換器２７が冷媒の凝縮器として機能し、外気熱交換器１５が冷媒の蒸発器として機能する。
【０１２０】
また、除湿用膨張弁１２１は開度を全閉状態にする。さらに、内気熱交換器２３での冷媒の凝縮を抑制するため、内気ファン６０は停止する。
【０１２１】
このような状態の冷媒回路において、低圧の冷媒は、圧縮機１１に吸入され、高圧に圧縮された後に吐出される。圧縮機１１から吐出された高圧の冷媒は、四路切換弁１３を通じて、内気熱交換器２３に送られる。
【０１２２】
内気ファン６０は停止しているので、内気熱交換器２３に送られた高圧の冷媒は車内乗車室の空気と熱交換が促進されず、ほとんど凝縮することなく高温高圧ガスの状態で、全開の第２減圧器２９を通過して、バッテリ熱交換器２７に入る。
【０１２３】
高温高圧のガス冷媒は、内気熱交換器２３及びバッテリ熱交換器２７を介して熱交換し凝縮する。その際、バッテリ熱交換器２７内の冷媒は、車載バッテリ８０と熱交換する。車載バッテリ８０は、バッテリ熱交換器２７内の冷媒との熱交換によって加熱され温度上昇する。
【０１２４】
バッテリ熱交換器２７を出た冷媒は、第１減圧器２５によって外気熱交換器１５で蒸発可能な圧力まで減圧され、外気熱交換器１５に入る。外気熱交換器１５に入った低圧の冷媒は、そこで車外の空気と熱交換を行って蒸発する。外気熱交換器１５において蒸発した低圧の冷媒は、四路切換弁１３を経て、再び、圧縮機１１に吸入される。
【０１２５】
制御部７０は、車載バッテリ８０の温度が２０℃〜４０℃の範囲内の所定温度に到達するまでバッテリ加熱運転を継続する。
【０１２６】
（３−５）空調運転停止時のバッテリ温調運転
制御部７０は、車載バッテリ８０を所定時間内に所定充電量まで充電する急速充電モードを実行可能である。急速充電モードは、暖房および冷房などの空調運転を行っているときでも、空調運転を停止しているときでも実行可能である。但し、急速充電は車載バッテリ８０の急激な温度上昇を伴うので、車載バッテリ８０の温調が必要である。
【０１２７】
本実施形態では、制御部７０は、空気調和を停止しているときに急速充電モードを実行する場合、メイン膨張弁１７を全閉し内気ファン６０を停止した状態で、冷房運転時と同じ冷媒循環サイクルでバッテリ温調用冷媒路４２に冷媒を流す。その結果、車内乗車室内に冷風を送ることなく、車載バッテリ８０を温調することができる。
【０１２８】
（４）第２実施形態の特徴
（４−１）
自動車用温調システム１００では、冷媒回路１４０が、空気調和用冷媒路４１と、空気調和用冷媒路４１とは別にバッテリ温調用冷媒路４２とを有している。バッテリ温調用冷媒路４２は、バッテリ熱交換器２７と、バッテリ熱交換器２７の両側に配置される第１減圧器２５及び第２減圧器２９を含んでいる。それゆえ、この自動車用温調システム１００では、空気調和とは別に、バッテリ熱交換器２７の温度を蒸発温度と凝縮温度との間の任意の温度に調節することができ、車載バッテリ８０を適温に調節することができる。
【０１２９】
（４−２）
また、第１減圧器２５及び第２減圧器２９はともに、開度可変式の膨張弁である。制御部１７０は、車載バッテリ８０が所定温度以下のとき、第２減圧器２９を全開にして内気熱交換器２３からの高圧冷媒をバッテリ熱交換器２７に流して車載バッテリ８０を暖める低温時始動モードを実行する。それゆえ、この自動車用温調システム１００では、車載バッテリ８０が短時間で適温まで加熱される。また、始動時のバッテリ熱交換器２７の温度に基づいて低温時始動モードが自動で実行されるので、使用者にとって使い勝手がよい。
【０１３０】
（４−３）
また、制御部１７０は、低温時始動モードを暖房運転時と同じ冷媒循環サイクルで実行する。一般的に外気温が低いときに始動モードが実行されると考えられるので、車内乗車室も暖房を必要とする。それゆえ、自動車用温調システム１００では、新たに始動モード用の冷媒回路を構成する必要がなく、回路構成が簡単である。
【０１３１】
（４−４）
また、制御部１７０は、内気ファン６０を停止して低温時始動モードを実行するので、内気熱交換器２３での冷媒の凝縮が抑制され、高温の高圧冷媒がバッテリ熱交換器２７に流入し、短時間で車載バッテリ８０が適温まで加熱される。
【０１３２】
（４−５）
また、制御部１７０は、空気調和を停止しているとき急速充電モードを実行する場合、車内乗車室内に冷風を送らないように内気ファン６０を停止した状態で、冷房運転時と同じ冷媒循環サイクルでバッテリ温調用冷媒路４２に冷媒を流す。その結果、車載バッテリ８０の急速充電時の温度上昇を抑制して車載バッテリ８０を適温に調節することができるうえに、車内乗車室内に冷風を送らないので、ユーザーに冷風が当たるなどの不快感を誘発するような事態は防止される。
【０１３３】
（５）第２実施形態の変形例
（５−１）第１変形例
第２実施形態では、制御部１７０は、空気調和を停止しているとき急速充電モードを実行する場合、内気ファン６０を停止した状態で、冷房運転時と同じ冷媒循環サイクルでバッテリ温調用冷媒路４２に冷媒を流しているが、これに限定されるものではない。
【０１３４】
図４は、第２実施形態の第１変形例に係る自動車用温調システム１００の構成図である。図４において、第２実施形態と変形例との違いは、第１変形例の冷媒回路１４０がバイパス４３と開閉弁４５を有している点である。
【０１３５】
具体的には、分岐点Ｄと第２減圧器２９との間には冷媒の分岐点Ｅが設けられており、バイパス４３は分岐点Ｅから出て内気熱交換器２３と四路切換弁１３とを結ぶ冷媒路に繋がっている。開閉弁４５は、バイパス４３に設けられており、冷媒をバイパス４３へ流す第１状態および冷媒をバイパス４３へ流さない第２状態のいずれか一方に切り換え可能な切換手段として機能する。
【０１３６】
変形例に係る自動車用温調システム１００では、冷房運転、暖房運転、暖房除運転およびバッテリ加熱運転の各動作は、上記実施形態におけるそれらの動作と同じである。制御部１７０は、冷房運転、暖房運転、暖房除運転およびバッテリ加熱運転の各動作時、開閉弁４５を閉じ、バイパス４３には冷媒を流さない。
【０１３７】
他方、制御部１７０は、空気調和を行わずに急速充電モードを実行する際、冷房運転時と同じ冷媒循環サイクルではあるが、メイン膨張弁１７を閉じ、さらに、開閉弁４５を開けてバイパス４３に冷媒を流し、内気熱交換器２３および除湿熱交換器１９に流れる冷媒量を抑制しながらバッテリ温調用冷媒路４２に冷媒を流通させる。
【０１３８】
この結果、車載バッテリ８０への急速充電時でも車載バッテリ８０の温度上昇を抑制してバッテリを適温に調節することができるうえに、内気熱交換器２３および除湿熱交換器１９にはほとんど冷媒が流れないので、車内乗車室内に冷気が漏れてユーザーに不快感を与えるような事態は防止される。
【０１３９】
（５−２）第２変形例
図５は、第２実施形態の第２変形例に係る自動車用温調システムの構成図である。図５において、第２実施形態と変形例との違いは、第２変形例の冷媒回路１４０が第３冷媒路としての駆動部冷却用冷媒路４７を有している点、および圧縮機１１が圧縮工程途中にガス冷媒を導入するインジェクション・ポートＥＰを有している点である。
【０１４０】
駆動部冷却用冷媒路４７は、分岐点Ｄと第２減圧器２９との間に設けられた分岐点Ｆと圧縮機１１のインジェクション・ポートＥＰとを繋ぐ冷媒路である。駆動部冷却用冷媒路４７では、分岐点Ｆ側から第１逆止弁３１、駆動部冷却用膨張弁３３、インバータ熱交換器３５、及びモータ熱交換器３７が直列に接続されている。
【０１４１】
また、空気調和用冷媒路４１と駆動部冷却用冷媒路４７とは第２逆止弁３２によって連絡されており、分岐点Ｃとメイン膨張弁１７との間を流れる冷媒が、第１逆止弁３１と駆動部冷却用膨張弁３３との間を流れる冷媒と合流するようになっている。
【０１４２】
インバータ熱交換器３５は、インバータ８５を温調するための熱交換器である。インバータ８５は、走行モータ８７に所定の波形に制御された交流出力を供給する。モータ熱交換器３７は、走行モータ８７を温調するための熱交換器である。
【０１４３】
インバータ８５及び走行モータ８７は冷却しなければ温度が上昇し続け破損するが、例えば１００℃以下に保持すれば破損しないので、それらの冷却には高圧液冷媒を利用すればよい。それゆえ、駆動部冷却用膨張弁３３は、減圧器ではなく流量調整弁として機能し、モータ熱交換器３７の出口冷媒が過熱ガス冷媒となるように流量を制御する。なお、インバータ熱交換器３５とモータ熱交換器３７とは一体の熱交換器であってもよい。
【０１４４】
このような状態の冷媒回路において、冷房運転時には空気調和用冷媒路４１から第２逆止弁３２を介して高圧の液冷媒が駆動部冷却用冷媒路４７に流入し、暖房運転および暖房除湿運転時にはバッテリ温調用冷媒路４２から第１逆止弁３１を介して高圧の液冷媒が流入する。
【０１４５】
この高圧の液冷媒は、駆動部冷却用膨張弁３３で流量調整され、インバータ熱交換器３５、及びモータ熱交換器３７に入り、インバータ８５及び走行モータ８７と熱交換し、インバータ８５及び走行モータ８７それぞれの温度を破損しない温度に維持する。
【０１４６】
モータ熱交換器３７を出た冷媒は、圧縮機１１のインジェクション・ポートＥＰから圧縮工程途中に噴射される。冷媒は、圧縮機１１の中間圧に噴射されるので、圧縮機１１の動力増加が抑制される。
【０１４７】
以上のように、第２変形例に係る自動車用温調システム１００では、冷媒回路１４０が、空気調和用冷媒路４１と、バッテリ温調用冷媒路４２と、駆動部冷却用冷媒路４７とを有している。それゆえ、この自動車用温調システム１００では、空気調和とは別に、バッテリ熱交換器２７の温度を蒸発温度と凝縮温度との間の任意の温度に調節することができ、さらに、空気調和およびバッテリ温調とは別に、インバータ８５及び走行モータ８７の温度を所定の温度に維持することができる。
【０１４８】
＜その他の実施形態＞
第１実施形態および第２実施形態では、第１減圧器２５および第２減圧器２９が開度可変式の電動膨張弁であるが、これに限定されるものではなく、例えば、キャピラリーチューブであってもよい。
【０１４９】
但し、低温時始動モードでは、バッテリ熱交換器２７に高圧冷媒を流す必要があるので、暖房運転時の冷媒流れの上流側となる第２減圧器２５は開度可変式の電動膨張弁で、下流側となる第１減圧器２５はキャピラリーチューブであればよい。
【産業上の利用可能性】
【０１５０】
以上のように、本発明の自動車用温調システムによれば、低温になった車載バッテリを短時間で適温まで加熱することができるので、寒冷地仕様の電気自動車、ハイブリット自動車に有用である。
【符号の説明】
【０１５１】
１０，１００  自動車用温調システム
２５  第１減圧器
２７  バッテリ熱交換器
２９  第２減圧器
４０，１４０  冷媒回路
４１  空気調和用冷媒路
４２  バッテリ温調用冷媒路
４３  バイパス
４５  開閉弁（切換手段）
６０  内気ファン
７０，１７０  制御部
８０  車載バッテリ
【先行技術文献】
【特許文献】
【０１５２】
【特許文献１】特開平１１−２３０８１号公報
【図１】
2013060066.tif 000003
【図２】
2013060066.tif 000004
【図３】
2013060066.tif 000005
【図４】
2013060066.tif 000006
【図５】
2013060066.tif 000007